(57)【特許請求の範囲】
【請求項１】
複数の電極を有し、且つ生体被験者の心臓内への挿入に適合されたプローブと、
前記電極から電気信号を受信するよう構成されたプロセッサであって、
前記心臓内のそれぞれの位置の前記電極から、電位図を記録する工程と、
時間窓内の前記電位図内で、傾きとアノテーションを決定する工程と、
前記傾きと前記アノテーションとの間の関係を設定する工程と、
前記関係から、前記心臓内の伝導ブロックのラインを決定する工程と、を実行するよう構成された、プロセッサと、を備え、
前記傾きと前記アノテーションを決定する工程は、
前記電位図内の双極窓を決定する工程と、
前記双極窓内で、局所興奮時間にアノテーションをつける工程と、
１組の電極の読取値から、ブロック点が前記１組の電極の領域内に存在することを決定する工程と、
前記ブロック点に対応して、前記局所興奮時間の位置を変える工程と、
それぞれの局所興奮時間を含む、見直された窓を決定する工程と、を含み、
前記傾きと前記アノテーションとの間の前記関係を設定する工程は、
前記電位図内の一次性傾きと、二次性傾きとを特定することと、
前記電極が、前記心臓に接触しているかどうかを決定することと、
前記一次性傾きと前記二次性傾きとが互いに結合しているかどうかを決定することと、を含む、装置。
【請求項２】
ディスプレイを更に備え、前記プロセッサは、前記伝導ブロックのラインの電気解剖学的マップを、前記ディスプレイ上に生成するよう更に構成されている、請求項１に記載の装置。
【請求項３】
前記プロセッサは、前記一次性傾きと前記二次性傾きとが互いに結合しているかどうかを決定することと、前記電極が前記心臓に接触しているかどうかを決定することとに対応して、伝播波を特定するよう更に構成されている、請求項１に記載の装置。
【請求項４】
前記プロセッサは、
前記電位図から、前記電極における伝導速度ベクトルを算出し、
第１の電極における活性化は、第２の電極における活性化と分離されているという決定をし、且つ
前記決定に対応して、前記第１の電極と前記第２の電極との間に伝導ブロックが存在すると結論するように更に構成されている、請求項１に記載の装置。
【請求項５】
前記プロセッサは、前記電位図を、それぞれの時間でフレームに分割するよう更に構成され、且つ前記フレームは、網状の電極の読取値のうちの個別の読取値を、値の行列に、それぞれ割り当てたものである、請求項１に記載の装置。
【請求項６】
前記フレームは、前記電極の読取値に割り当てられていない空白位置を含む、請求項５に記載の装置。
【請求項７】
前記フレームが空白位置を含み、波間のブロックであると特定された前記電極の読取値を、前記空白位置に再度割り当てる工程を更に含む、請求項５に記載の装置。
【請求項８】
前記プロセッサは、前記フレームから、前記心臓の電気解剖学的マップを生成するよう更に構成されている、請求項５に記載の装置。
【発明の詳細な説明】
【技術分野】
【０００１】
（関連出願の相互参照）
本出願は、参照により本明細書に組み込まれる２０１４年８月１２日出願の米国仮出願第６２／０３６，２７０号の利益を主張するものである。
【０００２】
（発明の分野）
本発明は、電磁信号の分析により、医学的状態を評価することに関する。特に、本発明は、心電図周期のある側面を検出すること及び測定することの改善に関する。
【背景技術】
【０００３】
本明細書で用いる特定の頭字語及び略語の意味を表１に示す。
【０００４】
【表１】
0006644491.tif 000002
【０００５】
内臓の三次元（三次元）画像は、カテーテルに基づいた、多くの診断及び治療用途において有用であり、外科的処置の最中に、リアルタイムでの撮像が広く用いられている。
【０００６】
今日、心臓の電気的活動のマッピングのために電気生理学的センサを含む心臓カテーテルを用いて心臓内の電位をマッピングすることが、一般的に行われている。典型的には、時間的に変化する心内膜内の電位を感知し、心臓内における位置の関数として記録した後に、これを用いて局所電位図又は局所興奮到達時間のマッピングを行う。興奮到達時間は、電気的インパルスが心筋を通して伝導するのに要する時間に応じて、心内膜内における点ごとに異なる。心臓内の任意の点におけるこの電気伝導の方向は、従来、等電活動面に直交する活性化ベクトル（本明細書では、「伝導速度ベクトル」とも呼ぶ）によって表現されており、これら等電活動面及び活性化ベクトルのいずれも、興奮到達時間のマップから導出され得る。心内膜の任意の点を通る活動面の伝播速度は、伝導速度ベクトルとして表現され得る。
【０００７】
心臓の活性化信号伝導の局所的欠陥は、多活動面、活性化ベクトルの異常な集中、又は速度ベクトルの変化若しくはこのベクトルの正常値からの逸脱等の現象を観察することによって確認され得る。このような欠陥の例としては、コンプレックス細分化電位図として知られる信号パターンと関連付けられ得るリエントラント型のエリアが挙げられる。いったん欠陥がこのようなマッピングによって突き止められると、心臓の正常な機能を可能な限り復旧するために、その欠陥は（異常に機能しているのであれば）アブレーションされてよい、ないしは別の方法で処置されてよい。
【０００８】
「心不全及び左脚ブロックの患者における左心室活性の特徴」と題された文献（Ａｕｒｉｃｃｈｉｏら、Ｃｉｒｃｕｌａｔｉｏｎ誌、２００４年、第１０９巻、１１３３頁〜１１３９頁）に、内因性律動及び非同期ペーシング間に、三次元接触式及び非接触式マッピングを同時並行で適用して得られる、心不全及び左脚ブロックＱＲＳ形態の患者における左心室の興奮順序が記載されている。前側、外側、又は下側に位置するブロックのラインのために、「Ｕ字形」の興奮波前面が、大部分の患者において見られた。ブロックのラインの機能的行動は、非同期の心室ペーシングの間において、異なる部位及び周期長で、ブロックのラインの位置が変化することにより示された。
【発明の概要】
【課題を解決するための手段】
【０００９】
活動面及び伝導場をマッピングすることは、心臓組織内の電気的伝播障害のエリアに起因する、心室性及び心房性頻脈症並びに心室及び心房細動などの異常を特定しかつ診断する際に、医師をサポートする。
【００１０】
例えば、本願と同一譲受人に譲渡された、同時係属中の、「洞調律間の心室性／心房性期外収縮をマッピングするための方法」と題された、米国特許出願第１４／０２４，８５９号は、参照により本発明に組み込まれるが、同出願は、心臓の不整脈が不規則的に存在している場合に、局所興奮到達時間を、心臓内の、関心対象の領域と関連付けるために、プローブのマッピング電極を使用することを開示している。
【００１１】
本発明の１つの実施形態により提供されるのは、複数の電極を有するプローブを生体被験者の心臓内に挿入することと、心臓内のそれぞれの位置の電極から電位図を記録することと、時間窓内の電位図内で傾きとアノテーションを決定することと、電位図の傾きとアノテーションとの間の関係を設定することと、関係から前記心臓内の伝導ブロックのラインを決定することと、により実行される方法である。
【００１２】
方法の更なる態様は、伝導ブロックのラインの電気解剖学的マップを生成することを含む。
【００１３】
本方法の更に他の態様においては、傾きとアノテーションを決定することには、電位図内の双極窓を決定することと、双極窓内で局所興奮時間にアノテーションをつけることと、１組の電極の読取値から、ブロック点が１組の電極の領域内に存在することを決定することと、ブロック点に対応して、局所興奮時間の位置を変えることと、それぞれの局所興奮時間を含む見直された窓を決定することと、が含まれる。
【００１４】
本方法のまた更に他の態様によると、傾きとアノテーションとの間の関係を設定することには、電位図内の一次性傾きと二次性傾きとを特定することと、電極が心臓に接触しているかどうかを決定することと、一次性傾きと二次性傾きとが互いに結合しているかどうかを決定することと、が含まれる。
【００１５】
本方法の追加的態様は、一次性傾きと二次性傾きとが互いに結合しているかどうかを決定することと、電極が心臓に接触しているかどうかを決定することと、に対応して、伝播波を特定することを含む。
【００１６】
本方法の他の態様は、電位図から、電極における伝導速度ベクトルを算出することと、第１の電極における活性化は、第２の電極における活性化と分離されているという決定をすることと、その決定に対応して、第１の電極と第２の電極との間に伝導ブロックが存在すると結論することと、を含む。
【００１７】
本方法のまた追加的な態様は、電位図を、それぞれの時間でフレームに分割することを含み、フレームは網状の電極の読取値の個別の読取値を、値の行列に、それぞれ割り当てるものである。
【００１８】
フレームは、電極の読取値に割り当てられていない空白位置を含み得る。本方法の１つの態様は、波間のブロックであると特定された電極の読取値を、空白位置に再度割り当てることを含む。
【００１９】
本方法の更に他の態様は、フレームから、心臓の電気解剖学的マップを生成することを含む。
【００２０】
本発明の諸実施形態により、複数の電極を有し、生体被験者の心臓内への挿入に適合されたプローブと、プロセッサとを含む装置が更に提供され、プロセッサは、電極から電気信号を受信するよう構成され、並びに、心臓内のそれぞれの位置の電極から電位図を記録するようにと、時間窓内の電位図内で傾きとアノテーションを決定するようにと、電位図のうちの異なるものから傾きとアノテーションとの間の関係を設定するようにと、関係から心臓内の伝導ブロックのラインを決定するようにと、構成されている。
【００２１】
装置はディスプレイを備え得るが、プロセッサは、伝導ブロックのラインの電気解剖学的マップを、ディスプレイ上に生成するよう更に構成されている。
【図面の簡単な説明】
【００２２】
本発明が更に理解されるように、一例として、本発明の詳細な説明を参照するが、その説明は以下の図面と共に読まれるべきであり、図面において同様の要素は同様の参照符号を与えられている。
【図１】本発明の１つの実施形態による、生体被験者の心臓における電気的活動を評価するためのシステムのイラスト図である。
【図２】本発明の１つの実施形態による、心房細動興奮の評価へのアプローチのブロック図である。
【図３】本発明の１つの実施形態による、波のマッピングとブロックのラインの検出とを示すデータ流れ図である。
【図４】本発明の１つの実施形態による、心房細動間におけるブロックのラインのマッピングを示す、例示的な図である。
【図５】本発明の１つの実施形態による、ＬＡＴ−傾き関係の決定を示す模式的フロー図である。
【図６】本発明の１つの実施形態による、ＬＡＴ−傾き関係の決定の追加的態様を示す模式的フロー図である。
【図７】本発明の１つの実施形態による、ＬＡＴ傾き関係の検出方法のフローチャートである。
【図８】本発明の１つの実施形態による、ＬＡＴ傾き関係の検出方法の詳細なフローチャートである。
【図９】本発明の１つの実施形態による、図８において特定された二次性傾きのカテゴリと波の伝播構成との間の関係を図示したものである。
【図１０】本発明の１つの実施形態による、電極により検出された、結合された一次性傾きと二次性傾きとの間の詳細な関係を示す図である。
【図１１】本発明の１つの実施形態による、電極により検出された、結合された一次性傾きと二次性傾きとの間の詳細な関係を示す図である。
【図１２】本発明の１つの実施形態による、電極により検出された、結合された一次性傾きと二次性傾きとの間の詳細な関係を示す図である。
【図１３】本発明の１つの実施形態による、電極により検出された、結合された一次性傾きと二次性傾きとの間の詳細な関係を示す図である。
【図１４】本発明の１つの実施形態による、電極により検出された、結合された一次性傾きと二次性傾きとの間の詳細な関係を示す図である。
【図１５】本発明の１つの実施形態による、電極により検出された、結合された一次性傾きと二次性傾きとの間の詳細な関係を示す図である。
【図１６】本発明の１つの実施形態による、電極により検出された、結合された一次性傾きと二次性傾きとの間の詳細な関係を示す図である。
【図１７】本発明の１つの実施形態による、伝導速度ベクトルの決定を示すデータフローチャートである。
【図１８】本発明の１つの実施形態による、伝導速度ベクトルの決定を示す、心臓の機能的電気解剖学的マップである。
【図１９】本発明の１つの実施形態により処理される、９つの電極の正方格子である。
【図２０】本発明の１つの実施形態による、図１９の格子内にトライアングルを画定する電極から得られる３つの電位図の、代表的シリーズである。
【図２１】本発明の１つの実施形態による、伝導速度ベクトルを示す、９つの電極の正方格子である。
【図２２】本発明の１つの実施形態による、３×３の格子の中央に位置する電極と、その格子内でそれに隣接する電極からのアノテーションの結果を示す一例である。
【図２３】本発明の１つの実施形態による、領域成長の過程を説明する図である。
【図２４】本発明の１つの実施形態による、フレーム分割を示すフロー図である。
【図２５】本発明の１つの実施形態により作成される、例示的フレーム分割マップである。
【図２６】本発明の１つの実施形態により作成される、例示的フレーム分割行列と電気解剖学的マップとを示す複合図である。
【図２７】本発明の１つの実施形態により処理される、８×８の電極ブロック／ライン行列を示す。
【図２８】本発明の１つの実施形態による、図２７に示す行列の反復処理を示すフロー図である。
【図２９】本発明の１つの実施形態による、テンプレートマッチングにかけられたブロック−ライン行列を示す。
【図３０】本発明の１つの実施形態による、電極ブロックライン行列における伝播の分析を示す複合図である。
【図３１】本発明の１つの実施形態による、ブロックライン行列からとられた、一連の電位図を示す複合図である。
【図３２】本発明の１つの実施形態によって分析された、図３１の電位図の拡大版である。
【図３３】本発明の１つの実施形態による、行列セグメントによるテンプレートマッチングを示す複合図である。
【図３４】本発明の１つの実施形態による、ブロック／ライン電極格子の時間分析を示す図である。
【図３５】本発明の１つの実施形態による、時間分析後の電極格子の１組の図である。
【図３６】本発明の１つの実施形態による、シミュレータにより作成された、波活性化形像を示す一連の図である。
【図３７】本発明の１つの実施形態による、シミュレータにより波前面から展開された、一連の伝導速度ベクトルである。
【図３８】本発明の１つの実施形態による、シミュレートされた平面伝導速度ベクトルと波前面活性化マップとを示す複合図である。
【図３９】本発明の１つの実施形態による、電極格子上に重ねられた、図３８の伝導速度ベクトルを、活性化マップとともに示す複合図である。
【図４０】本発明の１つの実施形態による、図３８の伝導速度ベクトルに加えられた、ＬＡＴジッターを示すグラフを含む複合図である。
【図４１】本発明の１つの実施形態による、シミュレートされた、平面的解離波パターンを示す複合図である。
【図４２】本発明の１つの実施形態による、図４１の、平面的解離波パターンの活性化マップを示す複合図である。
【図４３】本発明の１つの実施形態による、シミュレートされた、平面的融合波パターンを示す複合図である。
【図４４】本発明の１つの実施形態による、シミュレートされた、平面的反転（Ｕターン）パターンを示す複合図である。
【発明を実施するための形態】
【００２３】
以下の説明において、本発明の様々な原理が完全に理解されるように、多数の具体的な詳細が記載されている。しかしながら、これらのすべての詳細が本発明の実施に必ずしも必要ではないことが、当業者には理解されよう。この場合、一般的な概念を不要に曖昧にすることのないよう、周知の回路、制御論理、並びに従来のアルゴリズム及び処理に対するコンピュータプログラム命令の詳細については、詳しく示していない。
【００２４】
定義
「アノテーション」又は「アノテーションポイント」は、目的のイベントを示すとみなされる電位図上のポイント又は候補を指す。本開示において、イベントは、典型的には、電極により感知される電波の伝播の開始（局所興奮到達時間）である。
【００２５】
本明細書で使用される、電位図における「活動」は、電位図の信号における突発的又は起伏性の変化を明確に示す領域を指す。そのような領域は、ベースライン信号の領域の間の顕著な領域として認められる場合がある。本開示において、「活動」は、心臓を通る１つ以上の電気的伝播波の電位図上に現れる徴候を指すことが多い。
【００２６】
「波」とは、心臓のマッピングされたエリア内での、連続的電気的伝播を指す。
【００２７】
「ブロックのライン」とは、心臓内における電気的伝播を妨害するもの又はブロックするものを指す。そのようなラインは波を区切ることがある。波にはそれ自体に、ブロックのラインを包含することがあり、そうしたブロックのラインは、「波内ブロック」として知られている。
【００２８】
電位図の「一次性傾き」とは、電極の下を通る興奮波の局所興奮到達時間に関連した傾きである。
【００２９】
「二次性傾き」とは、電極の下を通らない波、すなわち、遠距離場の活性のような、先端の興奮波からの波に関連した傾きである。
【００３０】
ある特定の時間窓内で相次いで１つの傾きと他の傾きの両方が発生する時、その傾きは、他の傾きと「結合」される。
【００３１】
「ウェーブレット」とは、拡大により固定された関数の展開である。ウェーブレット変換は、信号の周波数成分を、マザーウェーブレットのさまざまな拡大版を用いて、時間の関数として決定する。
【００３２】
「ブロック点」とは、ユーザーにより定義された値（典型的には０．２ｍ／秒）よりも小さい伝導速度を有する点である。追加的又は代替的に、ブロック点は２つの電極の間に位置する点であって、第１の電極から出た興奮波が第２の電極に至った際に、第２の電極がユーザーにより定義された時間のインターバル（例えば１００ｍｓ）以内で、波の到着直前で且つ第２の電極の不応期開始後に、既に活性化されているという点である。例えば、速度ＣＶの波により、時間ｔ＝Ｔ０において、下にある組織の活性化を計測する電極を取り上げる。更に、距離Ｄにある、第２の電極を想定する。この第２の電極の下の組織は、活性化され、不応期ＲをＴ＝Ｔ１で開始した。そうなると、電流の波が第２の電極下の組織を活性化する時間は、Ｄ／ＣＶであろうということを、決定することが可能である。もし、（Ｔ＋Ｄ／ＣＶ）＜（Ｔ１＋Ｒ）である場合には、組織はまだ不応期にあり、したがって興奮をブロックする。
【００３３】
「ブロックのライン」又は「ブロックライン」とは、ブロック点の集合体である。
【００３４】
「迂回点」とは、例えばＵターンのような、波の方向の変化が起こる点である。
【００３５】
「フレーム」とは、網状の電極の読取値のうちの個々の読取値を、値の行列に割り当てたものである。
【００３６】
伝導ブロックライン及び伝導ブロック点は、本明細書では便宜上、しばしば「ブロックライン」、「ブロックのライン」又は「ブロック点」と呼ばれる。
【００３７】
システム概要
ここで図面を参照し、最初に図１を参照すると、この図は、本発明の１つの開示される実施形態により構成され動作する、電気的活動を評価し、生体被験者の心臓１２に対してアブレーション手術を行うためのシステム１０を描図したものである。このシステムは、患者の血管系を通じて、心臓１２の心房・心室又は血管構造内に操作者１６によって経皮的に挿入されるカテーテル１４を備えている。通常、医師である操作者１６は、カテーテルの遠位先端部１８を、心臓壁、例えばアブレーション標的部位と接触させる。その開示が本明細書に参照により組み込まれる、米国特許番号第６，２２６，５４２号及び同第６，３０１，４９６号、並びに同一出願人による米国特許第６，８９２，０９１号に開示されている方法に従って、電気的活性化マップが準備され得る。システム１０の要素を具現化する１つの市販の製品は、Ｂｉｏｓｅｎｓｅ  Ｗｅｂｓｔｅｒ，Ｉｎｃ．（３３３３  Ｄｉａｍｏｎｄ  Ｃａｎｙｏｎ  Ｒｏａｄ，Ｄｉａｍｏｎｄ  Ｂａｒ，ＣＡ  ９１７６５）より入手可能な、ＣＡＲＴＯ（登録商標）３システムとして入手可能である。このシステムは、本明細書に記載される本発明の原理を具現化するように、当業者によって変更することができる。
【００３８】
例えば電気的活性化マップの評価によって異常と判定されたエリアは、例えば心筋に高周波エネルギーを加える遠位先端部１８の１つ以上の電極に、カテーテル内のワイヤを通じて高周波電流を流すことなどにより熱エネルギーを加えることによってアブレーションすることができる。エネルギーは組織に吸収され、組織を電気的興奮性が永久に失われる点（一般的には約５０℃）まで加熱する。成功裏に行われた場合、この処置によって心臓組織に非伝導性の損傷部位が形成され、この損傷部位が不整脈を引き起こす異常な電気経路を遮断する。本発明の原理を異なる心房・心室に適用することによって、多くの異なる心不整脈を診断し、治療することができる。
【００３９】
カテーテル１４は、通常、ハンドル２０を備え、ハンドル２０は、その上に好適な制御部を有し、制御部により操作者１６は、アブレーションを行うために望むように、カテーテルの遠位端の方向転換、位置決め、及び方向決めを行うことが可能になる。操作者１６を補助するため、カテーテル１４の遠位部分には、コンソール２４内に配置されたプロセッサ２２に信号を供給する位置センサ（図示せず）が収容されている。プロセッサ２２は、以下に記載するいくつかの処理機能を果たす。
【００４０】
アブレーションエネルギー及び電気信号を、遠位先端部１８に又は遠位先端部１８の付近に配置される、１つ又は複数のアブレーション電極３２を通じて、コンソール２４に至るケーブル３４を介し、心臓１２へ又は心臓１２から、伝えることができる。ペーシング信号及び他の制御信号は、コンソール２４から、ケーブル３４及び電極３２を通して、心臓１２へと伝えることができる。感知電極３３は、同様にコンソール２４にも接続され、アブレーション電極３２の間に配設されて、ケーブル３４への結線を有する。
【００４１】
ワイヤ接続部３５はコンソール２４を、身体表面の電極３０と、カテーテル１４の位置及び向きを表す座標を測定するための位置決定サブシステムの他の構成要素と、に連結する。プロセッサ２２又は他のプロセッサ（図示せず）は、位置決定サブシステムの要素であってよい。電極３２及び身体表面電極３０は、参照により本明細書に組み込まれる、米国特許第７，５３６，２１８号（Ｇｏｖａｒｉら）に教示されるように、アブレーション部位での組織のインピーダンスを測定するために使用することができる。温度センサ（図示せず）、典型的には、熱電対又はサーミスタを、電極３２の各々の上に、又は電極３２の各々の付近に載置することができる。
【００４２】
コンソール２４には通常、１つ又は複数のアブレーション電力発生装置２５が収容されている。カテーテル１４は、例えば、高周波エネルギー、超音波エネルギー、及びレーザー生成光エネルギーなどの任意の周知のアブレーション技術を使用して心臓にアブレーションエネルギーを伝えるように適合させることができる。このような方法は、参照により本明細書に組み込まれる、本願と同一譲受人に譲渡された米国特許第６，８１４，７３３号、同第６，９９７，９２４号、及び同第７，１５６，８１６号に開示されている。
【００４３】
１つの実施形態において、この位置決めサブシステムは、磁場生成コイル２８を使用して、既定の作業体積内に磁場を生成し、カテーテルにおけるこれらの磁場を感知することによって、カテーテル１４の位置及び向きを判定する、磁気位置追跡の仕組みを含む。位置決めサブシステムは、参照により本明細書に組み込まれる米国特許第７，７５６，５７６号、及び上記の米国特許第７，５３６，２１８号に記載されている。
【００４４】
上述したように、カテーテル１４は、コンソール２４に結合され、これにより操作者１６が、カテーテル１４の機能を観察及び調節できるようになっている。コンソール２４は、プロセッサ、好ましくは適当な信号処理回路を有するコンピュータを含む。プロセッサは、モニタ２９を駆動するように結合されている。信号処理回路は、通常、カテーテル１４からの信号を、受信、増幅、フィルタリング、及びデジタル化するが、そのような信号には、カテーテル１４の遠位側に設置された、電気、温度、及び接触力センサのようなセンサ、及び複数の場所感知電極（図示せず）により生成される信号が含まれる。デジタル化された信号は、コンソール２４及び位置決めシステムによって受信かつ使用され、カテーテル１４の位置及び向きを計算し、電極からの電気信号を分析する。
【００４５】
電気解剖学的マップを生成するために、プロセッサ２２は通常、電気解剖学的マップ生成器、画像登録プログラム、及び画像又はデータ分析プログラムを備え、且つモニタ２９上にグラフィカル情報を提示するグラフィカルユーザーインターフェイスをも備える。
【００４６】
簡略化のため図には示されていないが、通常、システム１０には、他の要素も含まれる。例えば、システム１０は、心電図（ＥＣＧ）モニタを含み得るが、このＥＣＧモニタは、ＥＣＧ同期信号をコンソール２４に提供するために、１つ又は複数の身体表面電極から信号を受信するように結合される。また、上に述べたように、システム１０は通常、基準位置センサをも含むが、基準位置センサは、患者の身体の外側に取り付けられた、体位外貼付式基準パッチ上、又は心臓１２に挿入され、心臓１２に対して固定位置に維持された、体内配置式カテーテル上のいずれかに配置される。カテーテル１４にアブレーション部位を冷却するための液体を通して循環させるための従来のポンプ及びラインが設けられている。システム１０は、画像データを、外部の、ＭＲＩ等のような撮像様式ユニットから受信してよい。またシステム１０は、画像プロセッサを含み、画像プロセッサはプロセッサ２２に統合されてもよく、又はプロセッサ２２により起動されて、画像を生成し表示する。
【００４７】
心房細動興奮のマッピング
心房細動は、伝播の複雑なパターン、すなわち周期性も反復性もないパターンにより特徴づけられる。ブロックのラインが多数あり得るが、そうしたラインにより、さまざまな形状の、解離波が分割される。心房の興奮時間を心房の電極網に対してマッピングしようとすると、測定エラーが起こってしまう。マッピングカテーテルからの電極読取値に基づいた空間解像度は、心房細動興奮の複雑なパターンを評価するのには不適当である。
【００４８】
本明細書に記載される処置は、ブロックのラインにより、以下に説明するフレームのコンテキスト内（すなわち、セグメント化）で区切られた心房波を検出する。これらの処置は、統一されたＭａｔｌａｂ（登録商標）のフレームワークを用いて遂行されてもよい。以下の実施形態において説明される、本発明の諸原理を適用することにより、心房細動における空間−時間構造を、アブレーションの潜在的標的として特徴づけ且つ特定することができる。ここで図２を参照すると、同図は、本発明の１つの実施形態による、心房細動興奮の評価への一般的アプローチのブロック図である。マップ生成へと至るプロセスは、ブロック３７の、前処理され、心室の遠距離場電位があらかじめ取り除かれた電位図から、双極窓を特定することを含む。遠距離場効果を除去することは、参照により本発明に取り込まれる、同時係属中の、「心室の遠距離場減少」と題された、米国特許出願第１４／５７４，５７８号の教示することころを用いて実現することができる。このプロセス内の更なるステップには、ブロック３９のＬＡＴ検出と、ブロック４１のＬＡＴ位置変更と、ブロック４３のＬＡＴ処理と、ブロック４５のＬＡＴ窓生成と、ブロック４７のＬＡＴ傾き及び関係検出と、ブロック４９のフレームのセグメント化と、ブロック５１のマップ及び行列の生成と、が含まれる。
【００４９】
ブロックのラインの特定には、心内電位図内のアノテーションの特定後に、波のマッピングのプロセスを用いる。これらのアノテーションは、ウェーブレットからのものであり得るが、それは、本願と同一譲受人に譲渡され、同時係属中の、参照により本発明に取り込まれる、「心房細動アノテーション用の二重双極構成」と題された米国特許出願第１４／５８５，８２８号の教示するところのものを用いて算出することができる。
【００５０】
（１）アノテーションを用いて、以下に説明する、領域成長のプロセスにおける、ブロックのライン検出により、波を特定する。
（２）ブロック点は、フィルタリングされ且つ処理されるが、そこにはアノテーションの見直しが伴っていてよい。
【００５１】
ＬＡＴ検出及び処理は、上記の米国特許出願第１４／５８５，８２８号に教示されるように、ブロック３７、３９、４１、４３、及び４５で行われる。
【００５２】
心臓の電子解剖学的マッピングを実行する間、ブロックのライン（解剖学的なもの及び機能的なものの両方）の検出は、マップの精確性に影響を及ぼし得る。現行の三次元マップにおいては、ブロックのラインを考慮せず、任意の２点間に色が内挿される。ブロックのラインを特定することなく、非伝導性エリア上にマップ上の色を内挿することができ、そのため、マップが歪む可能性がある。
【００５３】
１つの実施形態においては、多電極マッピングカテーテルを用いるブロックのラインの検出は、それぞれの電極のＬＡＴを評価すること、電極間の距離、伝播の方向、及びこれらのエリアにおける伝導の生理学的蓋然性と、に基づく。採用される戦略は以下のものを含む：
１．単極電極のウェーブレットからアノテーションを得ること；
２．例えば、３×３の正方形の電極のような、電極により構成されるマッピングアレイを用意すること；
３．それぞれのマッピングアレイに対して、ＬＡＴ時間窓、傾き、スイング振幅、スイング時間、を決定すること；
４．ウェーブレットのＬＡＴ品質を評価すること；伝達速度ベクトル（ＣＶベクトル）を得ること；
５．遠距離場情報（一次性及び二次性傾き）を得ること；
６．それぞれの電極に対して、心内ＥＣＧ（ＩＣ−ＥＣＧ）品質を、１秒の窓解像度で評価すること。
【００５４】
ここで図３を参照すると、同図は、本発明の１つの実施形態による、波のマッピングとブロックのラインの検出とを示すデータ流れ図５３、５５である。データ流れ図５３において、多くの電極からの一連のＬＡＴアノテーションが、信号５７として表されているが、同アノテーションはブロック５９への入力を形成し、ブロック５９は、最も早いＬＡＴアノテーションを決定する。最も早いアノテーションは、信号６１として出力され、ブロック６３に受容される。ブロック６３では、領域成長のプロセスが実行される。領域成長については、後ほど、図２２の議論において更に詳しく説明をする。最も早いアノテーションは、マッピングアレイ内において並みの要素を形成する。信号６１を生成した電極に対応する現行の電極の位置（ＥＰＯＳ）と、ＬＡＴ信号５７が信号６５として入力される。ブロック６３において波が特徴づけられると、フィードバック信号６７がブロック５９に戻される。フィードバック信号６７を受信すると、ブロック５９は次に受信したＬＡＴアノテーションを処理する。
【００５５】
ブロック６３により定義された波は、入力信号６９としてブロック７１に送られ、ブロック７１は、波の後処理を実行する。ブロック７１への他の入力は、品質評価信号７３と、ＬＡＴ傾き信号７５と、遠距離場傾き信号７７と、位置信号７９と、であり、波の品質に関するものである。ブロック７１から出力されるのは、波信号８１と、波内（ｉａＷ）ブロック信号８３と、波間（ｉｒＷ）ブロック信号８５と、である。後処理は、後で詳しく説明する。
【００５６】
ここで図４を参照すると、同図は、本発明の１つの実施形態による、心房細動間におけるブロックのラインのマッピングを示す、例示的な図である。局所興奮到達時間が、正方形８７に示されている。電極位置８９のうち、いくつかは正方形８７により隠されているが、格子を形成する。質の低い電極信号は、アスタリスク９１で示されている。これらの信号は、ＬＡＴ決定用には信頼性が足りないものである。ブロック点９３は、関心対象時間窓の外側にある局所興奮到達時間を有する。ブロックのラインは、ブロック点９４の集合体により示されている。
【００５７】
ＬＡＴ傾き関係
ＬＡＴ傾き関係は、ブロック４７（図２）で評価される。従来、心房細動においては、接触電極から、それ自体によりＬＡＴを検出するため、空間解像度が低くなるという結果になっている。本発明の諸実施形態によると、電極からより多くの情報を抽出できるが、それは：（１）電極の接触と非接触とを区別すること；（２）一次性傾き（接触点における活性化）と二次性傾き（遠方の効果により引き起こされる）とを区別すること；及び（３）１つの電極とその隣接する電極との間の時間的関係を考慮すること、により実現される。これらのファクターのすべてが、組み合わせて評価される。特に、傾き関係の考慮により提供される追加的情報は、個々による空間的サンプリング不足を補い、カテーテル電極又は解剖学的網における興奮時間を精確に投射することを可能にする。アルゴリズムは以下の通りである：
（１）すべての電極内のすべての傾きを検出する。
（２）（ＬＡＴに関係する）一次性傾きを二次性傾きから区別する。
（３）時間の経過に伴う、接触状態をすべての電極について決定する。１つの接触電極は通常、適切な数の一次性傾きを有し、それは時間の経過に伴って反復される。一次性傾きの最小数は患者毎に、分析されている心房細動のパターンの複雑さにしたがって異なる。５０％程度の一次性傾きが典型的である。
（４）二次性傾きを一次性傾きに関連付ける。
（５）隣接する電極において、結合された二次性傾き、すなわち、一次性傾きと二次性傾きが重なる窓内において、−ｄｖ／ｄｔが最大となる整列点、を見出す。隣接する電極が心臓の壁に接触している場合には、結合された二次性傾きは、解離波から生じ得る。隣接する電極が心臓の壁に接触していない場合には、結合された二次性傾きは、同じ波の遠距離場のビューから生じる。
（６）上記のステップを実行した後、１組の関連していない二次性傾きが残る。これらの傾きは、電極間で起こる活性化から生じ得る。このような傾きを特定することは、マッピングに有用である。
【００５８】
ここで図５を参照すると、同図は、本発明の１つの実施形態による、ＬＡＴ−傾き関係の決定の態様を示す模式的フロー図である。心内電位図信号９５がブロック９７に入力され、その極大、極小、及び傾きが決定される。心房細動においては、断絶（ノッチ）が起こるのは普通のことである。ブロック９９においてはデノッチングが行われる。ブロック９９からの出力と、ＩＣ−ＥＣＧのＬＡＴ信号１０１と、Ｍａｔｌａｂの入力１０３と、がブロック１０５に入力され、ブロック１０５で、空間的時間的傾き分析が行われる。出力されるのは、傾き信号１０７及び仮想ＬＡＴ信号１０９である。仮想的ＬＡＴは、一次性傾きと結合され得ない二次性傾きの検出に由来する。換言すれば、二次性傾きに対応する興奮を記録した電極は存在しないということである。２つの電極間を伝播する波が二次性傾きを生み出すが、一次性傾きを生み出さない場合に、その二次性傾きを仮想的ＬＡＴと呼ぶ。
【００５９】
ここで図６を参照すると、同図は、本発明の１つの実施形態による、ＬＡＴ−傾き関係の決定の追加的態様を示す模式的フロー図である。傾き信号１０７及びＬＡＴ信号１０１がブロック１１１に入力され、ブロック１１１で、一次性傾きが決定される。出力信号１１３は、ブロック１１５において電極の接触を決定するのに用いられる傾き行列を含む。出力信号１１３、傾き信号１０７、及びＭａｔｌａｂ入力１０３（ＥＬＥＣＡＤＩＳＴ、ＥＬＥＤＩＳＴ、ＥＬＥＭＥＳＨ、ＣＡＴＨＭＥＳＨ）が、ブロック１１７にフィードされ、ブロック１１７で、一次性傾きと二次性傾きとのマッチング、及び二次性傾きと他の二次性傾きとのマッチングが行われる。入力ＥＬＥＭＥＳＨ及びＣＡＴＨＭＥＳＨは、構成された複合変数であり、それぞれ、電極網の幾何学的配置と、カテーテル網の幾何学的は位置とを記述している。それらは、Ｍａｔｌａｂにおいては、１つの構造体の複数のフィールドとして実装される。本用途においては、網とは、１組の接続されたノード及びトライアングルが配列されたものである。それぞれのノードは、トライアングルの頂点である。トライアングルは、頂点により他のトライアングルと結合され、網を形成する。それぞれの網は、ノードの数と位置（ｘ，ｙ，ｚ）を含む。それぞれのトライアングルに対して、３つの頂点のノードが記述される。
【００６０】
電極の網ＥＬＥＭＥＳＨにおいては、頂点の数は、マッピングカテーテル上の電極の数と等しい。６４個の電極がある場合には、６４個の網の頂点と、１１２個のトライアングルが存在する。カテーテルの網ＣＡＴＨＭＥＳＨは、電極の網を内挿補間するものである。このようにして、網により記述されるより滑らかな表面が、より多くの（内挿補間された）頂点と、その結果としてより多くのトライアングルとを提供することにより得られる。ＥＬＥＤＩＳＴ及びＥＬＥＣＡＴＤＩＳＴは、それぞれ、電極の網とカテーテルの網における、それぞれの頂点と他の頂点との間の距離を含む行列である。
【００６１】
結合された信号の情報を含む信号がブロック１１７から出力される。一次性傾きと二次性傾きとの間の関係は、後で説明するように、電極の接触状態又は非接触状態にしたがって解釈される。
【００６２】
ここで図７を参照すると、同図は、本発明の実施形態による、ＬＡＴ傾き関係検出方法のフローチャートである。最初のステップ１１９において、心内電位図内のすべての傾きが検出され、デノッチングされる。次に、ステップ１２１において、検出された傾きが、既に検出済みのＬＡＴと一致していないかどうかのチェックが行われる。一致が見つかった場合、現在の検出された傾きは、一次性傾きであると結論される。一致が見つからない場合には、現在の検出された傾きが二次性傾きであることが暗示されている。
【００６３】
ステップ１２３では、一次性傾きの開始時点及び終了時点が決定される。この決定は、傾きの画定がうまくできていないこともあるため、しばしば精確性を欠いている。そのような傾きは、最後のステップ１２５において、「曖昧な一次性傾き」として特記される。
【００６４】
ステップ１２１において分類された一次性傾きと二次性傾きとの間の時間関係は、ステップ１２７において評価される。一般的には、関心対象窓の３０ｍ秒以内で、二次性傾きが一次性傾きに先行するか又は後続するかが記録され、且つ、ステップ１２９において、二次性傾きと、それらの互いの関係との妥当性を確認するためのチェックが行われる。妥当性の規準となるものは：
傾きの振幅＞一次性傾きの振幅／２；及び
傾きの時間＜一次性傾きの時間＊２。
【００６５】
最後のステップ１３１においては、二次性傾きが、一次性傾きに代替するものとして注釈をつけられる。これが起こるのは、二次性傾きが、一次性傾きと結合されており、且つ二次性傾きが妥当である場合、すなわち、その傾きがあらかじめ決められた閾値よりも大きい場合である。
【００６６】
ここで図８を参照すると、同図は、本発明の１つの実施形態による、ＬＡＴ傾き関係検出方法の詳細なフローチャートである。最初のステップ１１９は、図７におけるものと同様に実行される。ステップ１３３においては、すぐに特定されるＬＡＴアノテーションを見ることによって、一次性傾きが特定される。そのような一次性傾きには、例えば、３×３格子内の他の二次性傾き又は、一次性傾きを生み出している電極からあらかじめ決められた距離以内にある他の二次性傾きのような、隣接する二次性傾きが存在する。隣接する一次性傾きのない二次性傾きは、ＬＡＴアノテーションとの近い関係がないことによって特定される。ステップ１３５、１３７において、傾きは、結合された一次性−二次性傾きペア、及び結合されていない傾きにそれぞれ区分けされる。後者のカテゴリには、一次性傾き及び二次性傾きの両方が含まれる。
【００６７】
ステップ１３５に続いて、ステップ１３９、１４１においては、結合された一次性−二次性傾きペアが、それぞれその電極が、心内膜に接触しているグループと、接触していないグループとに更に分けられる。結合された一次性−二次性傾きの組み合わせは、二次性傾きが読み取られる電極が、心内膜に接触している場合に存在する。これは、伝導ブロックを暗示する。
【００６８】
ステップ１３７に続いて、ステップ１４３、１４５それぞれにおいて、結合されていない一次性傾き及び二次性傾きは、孤立性の二次性傾きと、グループ化された（結合された）二次性傾きとに、更に分けられる。
【００６９】
ステップ１４３に続いて、ステップ１４７、１４９それぞれにおいて、結合されていない二次性傾きは、その二次性傾きが関連している遠方の電極が心内膜に接触している１つのグループと、そのような接触が存在しない他のグループとに区分けされる。ステップ１４７においては、接触している電極が示すのは、捕捉し損なった興奮、すなわち、一次性傾きが検出されなかった興奮である。ステップ１４９の場合には、何の情報も得られない。検出されていない興奮波以外のソース、例えば遠距離場干渉のようなソースが、その原因である場合がある。
【００７０】
ステップ１４５に続いて、ステップ１５１、１５３それぞれにおいて、結合された二次性傾きは、その二次性傾きが関連している遠方の電極が心内膜に接触している１つのグループと、そのような接触が存在しない他のグループとに区分けされる。ステップ１５１における、「＝１，＞１  ｃｏｎｔａｃｔ」という表記の意味は、図９において与えられる。ステップ１５１、１５３の両方において、恐らくは、捕捉し損なった興奮が存在している。仮想的興奮の位置の特定は、ステップ１５１のケースと、ステップ１５３のケースで異なっている場合がある。
【００７１】
ここで図９を参照すると、同図は、本発明の１つの実施形態による、図８において特定された二次性傾きのカテゴリと波の伝播構成との間の関係を図示したものである。図９のブロック内の識別用文字（Ａ〜Ｄ）は、ステップ１４７、１４９、１５１、１５３（図８）内の識別用文字と相互に関連している。図９に示された個々のケースは以下の通りである：
ここで図１０を参照すると、同図は、本発明の１つの実施形態による、異なる条件下の電極により検出された、結合された一次性傾きと二次性傾きとの間の詳細な関係を示す図である。一次性傾き１５７と結合された二次性傾き１５５を有する心内電位図を記録した電極は、心内膜と接触していない。この状況は、一次性傾き及び二次性傾きは、恐らく同じ伝播波から発生したということを示唆している。
【００７２】
ここで図１１を参照すると、同図は、本発明の１つの実施形態による図１０と類似の図であるが、図１１では、一次性傾き１６１と結合された二次性傾き１５９を有する心内電位図を記録した電極が、心内膜と接触している。この状況は、傾きの時間窓内で、２つの電極の間にあるブロックのライン１６３を示す。
【００７３】
ここで図１２を参照すると、同図は、本発明の１つの実施形態による図１０と類似の図である。二次性傾きを示す、２つの孤立性の結合されていない電極のケースにおける波のパターンが記述されている。両方の電極は心内膜と接触している。パターンは、電極の近くで起こる波が、捕捉し損なわれたかもしれないということを示している。
【００７４】
ここで図１３を参照すると、同図は、本発明の１つの実施形態による図１０と類似の図である。二次性傾きを示す、２つの孤立性の結合されていない電極のケースにおける波のパターンが記述されている。いずれの電極も心内膜と接触していない。示されているパターンは、例えば、心室の遠距離場効果又はノイズといった乱れを示す場合がある。
【００７５】
ここで図１４を参照すると、同図は、本発明の１つの実施形態による図１０と類似の図である。これは、少なくとも２つの記録中の電極が、結合された二次性傾きを有しているが、一次性傾きとは結合されていないケースである。２つの電極の間を伝播している狭い波１６５の一次性傾きが、電極からの信号において検出され損なっていた。
【００７６】
ここで図１５を参照すると、同図は、本発明の１つの実施形態による図１０と類似の図である。２つの記録中の電極は、結合された二次性傾きを有する。１つの電極のみが心内膜と接触している。いずれの電極も一次性傾きと結合されていない。これは、比較的広い波１６７、すなわち波１６５（図１４）よりも広い波と一致しており、そのような波１６７は、遠位側は接触している電極へ伝播しており、且つその電極により検出され損なっていた。
【００７７】
ここで図１６を参照すると、同図は、本発明の１つの実施形態による図１０と類似の図である。少なくとも２つの結合されていない電極が、二次性傾きを検出していた。電極のうちのいずれも心内膜と接触しておらず、いずれも一次性傾きと結合されていない。しかしながら、時間シフトされた一次性傾きが利用可能である。このパターンは、そのうちのいくつかは以前心内膜と接触していた１組の電極間で、より広いエリアで現在非接触状態があることを示唆している。
【００７８】
１つの接触電極と、二次性傾きを検出している他の電極とが存在するケースにおいて、結合された一次性傾きと二次性傾きとが検出されることは、電極間にあるブロックを示唆している。二次性傾きを検出する電極が心内膜に接触していない場合には、一次性傾きと二次性傾きとの両方が、恐らく同じ波から生成されたものである。
【００７９】
結合されていない電極が一次性傾き及び二次性傾きを検出するケースにおいて、二次性傾きを検出する電極が心内膜に接触する場合には、電極の近くで起こる波は、捕捉され損なうことがあり得る。二次性傾きを検出する電極が心内膜に接触しない場合には、乱れがその一因であり得る。
【００８０】
複数の電極が二次性傾きを検出するケースにおいて、それらの電極のうちの少なくとも１つが心内膜に接触する場合には、接触している電極により記録された二次性傾き間を伝播する波が、捕捉され損なうことがあり得る。
【００８１】
多くの電極のうちのちょうど１つの電極が心内膜に接触する場合には、遠位側が接触している電極に伝播している波が、捕捉され損なっていたことがあり得る。
【００８２】
多くの電極のうちの１つの電極も心内膜に接触しない場合には、現在の３×３格子よりも大きなエリア内で、隣接する電極が心内膜に接触していないために、波が捕捉され損なっていたことがあり得る。
【００８３】
波のブロックの確認は、一次性傾き又は二次性傾きの情報が入手可能であるかによっては、遠距離場情報に基づいていてよい。二次性の（ＦＦ）傾きを、検出された一次性、（ＮＦ）傾き窓内に見出したならば、それは、波のブロックの存在可能性が高くなるということである。ブロックライン処理の手術には、次のステップが伴う。ただし以下のステップは更に詳しく後で説明する。なお、ステップは、記載される順に、必ずしも実行されない：
分離されたブロック点を判別する。これは、すべての「ブロック点」を再訪し、分離されていること、すなわち、周囲の電極にブロックが存在しないことを確認すること、によりなされる。
【００８４】
１つ以上の電極のまわりの、閉じられた、ブロック点エリアを判別する。これは、隣接する電極におけるアノテーションを特定すること、又は特定し損なうことによりなされる。
【００８５】
ブロック点をブロックラインに内挿補間する。
【００８６】
活性化ブロックの検出
活性化ブロックは、伝導速度ベクトルを評価することにより明らかとなる。ここで図１７を参照すると、同図は、本発明の１つの実施形態による、伝導速度ベクトルの決定を示すデータフローチャートである。ブロック１６９において、トライアングルが電極位置の格子内に画定される。格子の構成は、信号１７１（ＥＣＯＮＦ）として入力され、トライアングルを表す信号１７３が出力される。信号１７３並びに、それぞれＬＡＴ及びＬＡＴ品質（ＬＡＴＱ）を表す信号１７５及び信号１７７が、ブロック１７９への入力を形成し、ブロック１７９では、トライアングルの電極からのＬＡＴの値が決定される。ブロック１７９からの出力信号１８１はブロック１８３に受信され、ブロック１８３では、時間により変化する伝導速度ベクトルが、トライアングル内で計算される。ブロック１８３は、２つのベクトル、早期ＣＶ（CV earlier）と後期ＣＶ（CV later）とを含む出力信号１８５、１８７を生成する。２つのベクトルはブロック１８９で分析され、１つの伝導速度ベクトルが、品質の尺度（ＣＶＱ）、φ（活動面に直交するベクトル）、及び、パラメータΨ（三次元空間における伝導速度ベクトル）とともに、出力信号１９１内に生成される。伝導速度ベクトルの計算の詳細は、後で、図２２の議論において更に詳しく説明する。
【００８７】
ここで図１８を参照すると、同図は、本発明の１つの実施形態による、図４の仕組みにより生成された伝導速度ベクトルを図示する、心臓の機能的電気解剖学的マップである。１組の番号付けされた電極が、トライアングル１９３を画定する。局所興奮到達時間は、図中に色調により示されている。３つの伝導速度ベクトル１９５、１９７、１９９が示されている。
【００８８】
ここで図１９を参照すると、同図は、本発明の１つの実施形態により処理される、９つの電極の正方格子である。図１９を見ると、１２個のトライアングルが、１つのピボット電極２０１を共有しているということがわかる。例えば、１つのトライアングルは、ピボット電極２０１と、頂点電極２０３、２０５と、で画定される。他のトライアングルが、ピボット電極２０１と、頂点電極２０５、２０７と、で画定される。１２個のトライアングルのそれぞれは、隣接するトライアングルと共有する２つの頂点電極を有する。
【００８９】
ここで図２０を参照すると、同図は、本発明の１つの実施形態による、図１９の格子内に１つのトライアングルを画定する電極から得られる３つの電位図２０９、２１１、２１３の、代表的シリーズである。トライアングルは、図１９に示されているトライアングルの任意のものであってよい。電位図２１１は、ピボット電極２０１からのものである。活性化ブロックの検出は、ピボット電極及び頂点電極用のＬＡＴを決定することと、トライアングルの頂点間の三次元距離を決定することと、を含む。信号１９１（図１７）における伝導速度ベクトルは、ブロック検出用のパラメータとして用いられる。
【００９０】
ここで図２１を参照すると、同図は、本発明の１つの実施形態による、伝導速度ベクトルを示す、図１９のものと類似の９つの電極の正方格子である。４つの伝導速度ベクトルが、トライアングルのそれぞれに対して計算され得る。単一のトライアングルのケースでは、格子内の隣接する電極から、３×２＝６つの興奮時間が利用可能である。隣接する興奮時間の２×２＝４通りの異なる組み合わせと、トライアングルの１つの角からの選択されたＬＡＴが、１組の、４つの伝導速度ベクトルを提供する。４つの伝導速度ベクトルのうちの１つが選ばれる。伝導ブロックの境界の外側の伝導速度ベクトル（＜０．２ｍ／秒）及び非生理学的同時興奮の外側の伝導速度ベクトル（＞２ｍ／秒）は廃棄して、境界内の伝導速度ベクトルを選ぶようにする。後者の中から、もっとも大きな伝導速度ベクトルが選ばれる。選ばれた伝導速度ベクトルは、トライアングルの重心を起点とするようにして示されて、直交座標系上に、ｘｃ，ｙｃとして表される。
【００９１】
ここで図２２を参照すると、同図は、本発明の１つの実施形態による、３×３の格子の中央に位置する電極と、その格子内でそれに隣接する電極からのアノテーションの結果を示す一例である。実線の矢印２１５、２１７、２１９、２２０は、一次性興奮に基づくアノテーションを示す。破線で示された矢印２２１、２２３は、二次性傾きに関連した興奮を示す。一次性アノテーション間に、時間関係が、例えば、矢印２１５、２１９間に（破線２２５による結線で示される）時間関係が、存在しており、２つの電極間の伝播を示し、且つ一次性アノテーションを画定する２つの一次性傾きが結合されていることを示す。
【００９２】
矢印２２３、２２７により表されるアノテーションのケースでは、２つの伝導速度ベクトルが分離することが、伝導ブロック２２７を示す。
【００９３】
領域成長
電極網による心房細動波の検出は、領域成長のアルゴリズムと、フレーム生成及びセグメント化のアルゴリズムとを要する。ここで図２３を参照すると、同図は、本発明の１つの実施形態による、領域成長のプロセスを説明する図である。このプロセスは反復的である。３×３格子の中心の周りに隣接している電極を、例えば、番号によって識別すると便利である。領域成長のために、正規化された伝導速度が、３×３格子内の中央の電極と、８つの隣接電極とのＬＡＴを用いて計算される。
【００９４】
ブロック２３１において、電極の３×３正方格子２２９が特定され、破線により区切られた正方形で示される。
【００９５】
次にブロック２３３において、正方格子２２９内、ステージ２３５で、伝導が評価される。このプロセスは以下を必要とする：
（１）正方格子２２９内の中央電極２３７と隣接電極との間の三次元距離を計算すること；
（２）中央電極２３７と隣接電極との間の局所興奮到達時間インターバルを決定すること。
【００９６】
追加的情報が、領域の拡張のために利用可能である：
（１）ＬＡＴ時間窓。これらは、ＬＡＴの不精確さの指標を提供する。
（２）３×３格子内の、４つの２×２正方形の伝導速度ベクトル。
（３）一次性アノテーション及び、隣接ＩＣ−ＥＣＧに対するＦＦ傾き（二次性アノテーション）。
（４）ＩＣ−ＥＣＧの品質及びＬＡＴ品質。
【００９７】
ここで、伝導の完全性、又は伝導ブロックが、以下に基づいて決定され得る：
ＣＶｎｏｒｍ＝ｄ（ＬＡＴ）／ｄ（ＬＯＣ）、式中ＬＯＣは、心内電極の位置を指す；
ＣＶｎｏｒｍ≧ＣＶ。
【００９８】
ブロックが示されるのは、ＣＶｎｏｒｍ≦ＣＶｎｏｒｍ＿ｍｉｎの場合であり、その場合、
ＣＶ≦ＣＶｎｏｒｍ＿ｍｉｎである。
【００９９】
代替的な伝導検出戦略は、伝導速度ベクトルの大きさを、高品質のＩＣ−ＥＣＧとＬＡＴに対してのみ決定することを含む。本方法は、ＬＡＴの不精確さに対して影響されやすいという問題がある。
【０１００】
他の代替的伝導検出戦略は、標準的な方法を用いて、四次表面の３×３フィットをＬＡＴ上に適合させることを要する。これは、過剰決定のソリューションとなるが、ＬＡＴの不精確さに対してはより強いものとなる。
【０１０１】
フレーム
ここで図２４を参照すると、同図は、ブロック４９（図２）の詳細を示す流れ図である。同図は、本発明の１つの実施形態による、フレーム分割を示すフロー図である。フレームは、最も論理的に互いに関連している複数のＬＡＴにより満たされている。本プロセス内で、伝導速度が計算される。伝導ブロックが、後続のフレーム内の対応するＬＡＴを参照して決定される。
【０１０２】
アルゴリズムが実行される過程中、ソースのリストが維持される。ソースのリストは、電極の番号と、関連付けられたＬＡＴを含み、これらは、隣接するＬＡＴに対してチェックされて、ブロック又は伝導が決定される。伝導性であると判明した電極の番号が、ソースリストに追加され、次回アルゴリズムが実行される時にチェックをされる。このようにして、アルゴリズムは同じ並みに属する電極番号の領域を成長させる。
【０１０３】
ブロック２３９においては、ソースフレームが決定される。このブロックへの入力は、フレームの構造体と、距離行列と、ソース電極から得られたＬＡＴと、である。ブロック２３９からの出力は、ソース電極のためのフレーム番号である。フレーム番号の割り当ては、ソース電極のＬＡＴでの、フレームの空白に基づく。割り当ての決定を支援するために、すべての空白フレームに対して、表２に示されるようなＭａｔｌａｂのルーティーンを用いて以下の特性が計算される。
【０１０４】
【表２】
0006644491.tif 000003
【０１０５】
それぞれの空白フレームに対する特性に基づいて、決定のルールがリスト１の擬似コードに与えられる。
【０１０６】
リスト１
もし利用可能な空白フレームがない場合、
ソース｛ｅｌｅ／ＬＡＴ｝が次のフレームに割り当てられる。
あるいはもし、１つ以上の伝導性第１次隣接活性化を伴うフレームが利用可能である場合、
ソース｛ｅｌｅ／ＬＡＴ｝が、最も近いＬＡＴを有するフレームに割り当てられる。
あるいはもし、伝導性隣接活性化を伴うフレームが１つも利用可能でない場合、
もし、最も近いＬＡＴ＜１００ｍ秒（ＡＦサイクル）である場合、
ソース｛ｅｌｅ／ＬＡＴ｝が、最も近いＬＡＴを有するフレームに割り当てられる。
あるいは、
ソース｛ｅｌｅ／ＬＡＴ｝が次のフレームに割り当てられる。
終了
終了
【０１０７】
ここで図２５を参照すると、同図は、本発明の１つの実施形態による、上記のアルゴリズム及びＭａｔｌａｂルーティーンによって生成される、例示的なフレーム分割マップである。フレーム内の空白エリアは、電極が検出され損なうことの一因とされうるか、又はフレーム分割のプロセス中に検出される波間のブロックが存在する場合、値の再割り当ての結果として、次のフレームに存在する波の一因とされ得る。
【０１０８】
ブロック５１（図２）の議論において、上記のように注記されているように、区分けされたフレームから、さまざまな機能性の電気解剖学的マップ及び行列（伝導マップ及び行列；活性化マップ及び行列；ブロックマップ、波マップ、及び伝導速度マップ）を、生成することは可能である。ここで図２６を参照すると、同図は、本発明の１つの実施形態により、例示的フレーム分割行列２４１、及び上記のアルゴリズムとＭａｔｌａｂルーティーンとにより生成された電気解剖学的マップを示す複合図である。ブロックのラインが、点により示されている。例えば行列２４１上の点２４３、及びマップ２４７、２４９上の点２４５が示されている。
【０１０９】
波マッピング後処理
後処理は、以下の形像を判別することを要する：隔離されたアノテーション波；少数のアノテーション；及びいくつかの電極内の波の内部のアノテーションをつけられていないエリアの小島。その手順は、波間ブロック、すなわち波面に沿ったブロックを検出することと、例えば、伝播中の「Ｕターン」のような波内ブロックを検出することと、を含む。ブロックラインの内挿補間が次に実行される。内挿補間は、ブロック点を内挿補間することによるブロックラインの作成を伴う場合があるが、電位図のデータを用いて、任意のギャップを内挿補間し得る。ブロックラインのパターン分析は、典型的には以下に説明するように内挿補間の結果に対して行われる。
【０１１０】
後処理は、それぞれのＩＣ−ＥＣＧの評価を伴う。これが伴うのは、品質評価（挿入部数／秒）、アノテーション数（ＮｏＡｅ）、及びＮｏＡｅ閾値である：ＬＯＷＡＣＴＥＬＥ＊波の数。ＮｏＡｅ＞ＮｏＡｅ閾値の場合に、ＩＣ−ＥＣＧは許容可能である。
【０１１１】
また、後処理は、アノテーションごとに実行され、アノテーションの品質（ＱｏＡ）の評価と、ＱｏＡ閾値とが設定される：ＬＯＷＡＵＡＴＨＲ＊平均（ＱｏＡ）。もしＱｏＡ＞ＱｏＡ閾値ならば、アノテーションが許容可能となる。
【０１１２】
後処理は、それぞれの波に対して実行され、波当たりのアノテーションの数（ＮｏＡＷ）が決定される。ＮｏＡｗ閾値が設定される：（ＬＯＷＡＣＴＷＡＶＥ＊許容されたＩＣ−ＥＣＧの数）。もしＮｏＡｗ＞ＮｏＡｗ閾値ならば、波は許容される。
【０１１３】
波の活性化の品質（ＱｏＷ）が評価される。ＱｏＷ閾値が設定される：ＬＯＷＷＡＶＥＱＵＡＬＩＴＹ＊平均（ＱｏＷが許容された波）。もしＱｏＷ＞ＱｏＷ閾値ならば、波の活性化は許容される。
【０１１４】
アノテーション波を判別することは、許容されていない波、すなわちＮｏＡＷ≦ＮｏＡＷ閾値である波、のすべてを再訪することを要する。許容されていない波内にあるアノテーションに対処するための選択肢が３つある：
（１）アノテーションを、重なり合う、許容された波とマージする。
（２）アノテーションを、重なり合う、許容された波のアノテーションと交換する（２つのアノテーションのうちの一方を廃棄する）。
（３）アノテーションを廃棄する。
【０１１５】
ブロック処理
波と活性化マップとのブロックラインフィルタリングは、フィルタリングされていない対応物に比べて、比較的強固なブロックライン及び波のマップを生成する。このプロセスは、典型的には隔離されたブロック点又はブロック点の小グループである、偽性のブロックライン点の検出を含む。こうした偽性ブロック点の例が図４０に示される。
【０１１６】
ブロックラインフィルタリングから得られる信号は、ブロックラインの時間分析に有用である。それゆえ、ブロック点及びブロックラインの密度は、単位時間当たりのブロックの発生数と関連する。ブロック点の安定性は、以降のブロックの発生の一貫性と関連する。ブロック点の反復は、ブロックラインが反復的に発生することの周期性の尺度である。
【０１１７】
加えて、ブロックラインのフィルタリングは、ブロックラインパターン分析の有用性を増やす。特に、解離波、波の衝突及び融合、並びに心外膜ブレークスルー及びフォーカスのような、具体的な平面的活性化。非平面パターン、すなわちＵターン及びローターパターンもまた分析される。フィルタリングは、１つ又はそれより多くの電極の周りの隔離されたブロック点及びブロック点エリアを再訪し判別する能力を高める。例えば、ＬＡＴは、ブロックを判別しようと試みるために、時間窓内で再配置してよい。ブロック点を容易に視覚化できるブロックラインに内挿補間することは、失われているブロックセグメントに対処することができる。
【０１１８】
ブロックラインフィルタリングを用いて生成し得る１つの表示は、電極／ブロックライン行列である。ここで図２７を参照すると、同図は、テンプレートマッチングを用いて、本発明の１つの実施形態により処理される、例示的８×８電極ブロック／ライン行列２５１を示す。行列２５１は、平滑化及びノイズ削減のために追加的なフィルタリングを使用し得る画像処理のアルゴリズム、テンプレートマッチング、及び他のタイプの特徴認識技術、により処理され得る。
【０１１９】
１つの配置（Ｎ＝８，Ｍ＝８）が、行列２５１内で接続される。より一般的には、Ｎ×Ｍの電極が、ブロック行列を提供するが、ブロック行列は、そのサイズが：
（２Ｎ−１＋ＯＮ）×（２Ｍ−１＋ＯＭ）であるが、
式中、ＯＮ及びＯＭは、０又は１であり、それぞれ、結線なしと、結線１本を示す。４つのテンプレート２５３、２５５、２５７、２５９が示される。図の下部にあるキーは、結線の意味を説明している。テンプレート２５３及びテンプレート２５７とのマッチは、丸く囲ったエリア２６１内に示されている。
【０１２０】
ここで図２８を参照すると、同図は、本発明の１つの実施形態による、行列２５１（図２７）の反復的な処理を示すフロー図である。第１のフェーズにおいては、行列は信号２６３として入力される。ステップ２６５では、特定のブロック伝播カテゴリに関連する電極が特定され、ブロック伝播カテゴリはステップ２６７で決定される。ステップ２６９では、そのカテゴリに対するテンプレートマッチングが実行されて、テンプレートライブラリが参照され、そしてステップ２７１では、ライブラリからのテンプレートがマッチングされる。ブロックと電極との特徴が信号２７３として出力される。
【０１２１】
ここで図２９を参照すると、同図は、本発明の１つの実施形態による、テンプレートマッチングにかけられたブロック−ライン行列２７５を示す。本例においては、テンプレート２７７、２７９、２８１に基づいて、二次元コンボリューションが適用された。
【０１２２】
ここで図３０を参照すると、同図は、本発明の１つの実施形態による、電位図２８３、２８５と、電極ブロックライン行列２８７における伝播との分析を示す複合図である。電極１１及び１２を含む行列のセグメント２８９がバルーン内で拡大されて、隔離されたブロック点２９１を示す。アノテーション２９３、２９５の位置を変えることは、問題を解消し、且つ上述の反復的手順により、ブロック点２９１は、ブロック点のリストから取り除かれ（廃棄され）得る。これにより、ブロックラインをきれいにすることができる。
【０１２３】
ここで図３１を参照すると、同図は、本発明の１つの実施形態による、ブロックライン行列２９９からとられた電位図２９７を含む、一連の電位図を示す複合図である。図３１は、後に続く行列２９９の分析のための参照用である：
ここで図３２を参照するが、同図は、本発明の１つの実施形態により分析される、電位図２９７（図３１）の拡大版である。上側区画内の軌跡３０１は、双極信号であり、下側区画内の単極軌跡３０３、３０５間の差である。双極窓は、矢印３０７、３０９により定義されている。ＥＧＭ品質が低い場合、ＥＧＭ窓を取り除くことにより、偽性ブロック点を除去することになる。ＥＧＭ品質は、傾き、ノイズ、遠距離場効果等を考慮した点数化アルゴリズムにより決定される、複合パラメータである。行列セグメント３１１内の、マッチングされたテンプレートエントリの中心は、処理に先立って、見直された行列セグメント３１３に示されるように、ゼロに設定され得る（それが示すのは、伝導ブロックがないことである）。
【０１２４】
ここで図３３を参照すると、同図は、本発明の１つの実施形態による、行列セグメント３１５によるテンプレートマッチングを示す複合図である。行列セグメント３１５及びテンプレート３１７間にマッチングが成立している。この例は、迂回ブロックラインを示す。
【０１２５】
時間分析
ここで図３４を参照すると、同図は、本発明の１つの実施形態による、ブロック／ライン電極格子３１９の時間分析を示す図である。時間の進行は、矢印３２１により示されている。一般的には、上述のフィルタリング術を実行した後に、電気的伝播の進展が、伝播の継続的事例を比較することで評価される。格子３１９は、ブロック密度及びブロック安定度マップを生成するために有用である。
【０１２６】
ここで図３５を参照すると、同図は、本発明の１つの実施形態による、時間分析後の電極格子の１組の図である。ブロック−ラインフィルタリングが、上述のように実行されていた。格子３２３の円で囲まれたエリアは、波間ブロックを示す。図の右側の格子３２５上に、波内ブロックが円で囲まれている。格子は、５０の連続する波の分析を表している。
【０１２７】
シミュレータ
本発明の１つの実施形態によると、上述の手順は、波マッピングシミュレータを用いて実行される。これは、上記の動作のパラメータを最適化するために有用である。この目的のために開発されたツールは、入力として、電極位置のアレイの二次元又は三次元マッピングを受け入れる。電極位置は、ｘ、ｙ、ｚ方向について指定される。アノテーション時間は、伝導速度ベクトルにより表現される。
【０１２８】
シミュレータは、マッピングアレイに対してさまざまな角度の平面波を生成し、ブロックラインと共に解離波を生成する。波の融合及び衝突もまたシミュレーションされる。フレームワークは、ブレークスルー及びローター、並びにＬＡＴ窓を含むように拡張可能である。
【０１２９】
ここで図３６を参照すると、同図は、本発明の１つの実施形態による、シミュレータにより作成された、波活性化形像を示す一連の図である。これらの形像は、先の実施形態により、上述のようにブロックのラインを特定するために処理され得る。
【０１３０】
ここで図３７を参照すると、同図は、本発明の１つの実施形態による、シミュレータにより波前面から展開された、一連の伝導速度ベクトルである。値ｎｘ、ｎｙは、それぞれｘ方向、ｙ方向の電極の数である。波前面は、図の左側、グループ３２７内に示されている。対応する電極の格子上に重ねられた伝導速度ベクトルは、図の右側、グループ３２９に提示されている。
【０１３１】
ここで図３８を参照すると、同図は、本発明の１つの実施形態による、電極格子３３３上に重ねられた電極アレイのｙ方向に平行な、シミュレーションされた平面伝導速度ベクトル３３１と、対応する波前面活性化マップ３３５と、を示す複合図である。
【０１３２】
ここで図３９を参照すると、同図は、本発明の１つの実施形態による、電極格子３３３上に重ねられた、シミュレーションされた平面平行伝導速度ベクトル３３１（図３８）を、対応する活性化マップ３３７とともに示す、複合図である。
【０１３３】
ここで図４０を参照すると、同図は、本発明の１つの実施形態による、シミュレーションされた伝導速度ベクトル３３１（図３８）に加えられた、ＬＡＴジッターを示すグラフ３３９と、ジッターが活性化マップ３４１に及ぼす効果と、を示す複合図である。そのうちのいくつかが点３４３により示されるいくつかの偽性ブロックが、活性化マップ３４１上に現れていた。
【０１３４】
ここで図４１を参照すると、同図は、本発明の１つの実施形態による、シミュレートされた、平面的解離波パターンを示す複合図である。８×８格子が示されている。２つの波が、図の上側部分に伝導速度ベクトル３４５、３４７で示されるＬＡＴで現れる。波の反復性の進行が、図の下側部分に見られる。
【０１３５】
ここで図４２を参照すると、同図は、本発明の１つの実施形態による、図４１の、平面的解離波パターンの活性化マップ３４８を示す複合図である。波ブロックが、点の行３４９により表示されている。
【０１３６】
ここで図４３を参照すると、同図は、本発明の１つの実施形態による、シミュレートされた、平面的融合波パターンを示す複合図である。フォーマットは、図４３では伝導速度ベクトル３５１、３５３が収束するという点を除いて、図４１と同じである。対応する活性化マップ３５５が、図の下側部分に示されている。
【０１３７】
ここで図４４を参照すると、同図は、本発明の１つの実施形態による、シミュレートされた、平面的反転（Ｕターン）パターンを示す複合図である。フォーマットは、図４１と同じである。伝導速度ベクトル３５７、３５９、３６１の反転が示されている。対応する活性化マップ３６３が、図の下側部分に示されている。
【０１３８】
当業者であれば、本発明は、以上で具体的に示し、説明したものに限定されない点は、理解するところであろう。むしろ、本発明の範囲は、以上で述べた様々な特徴の組み合わせ及び一部の組み合わせ、並びに上記の説明を読むことで当業者が想到するであろう、従来技術にはない特徴の変形及び改変をも含むものである。
【０１３９】
〔実施の態様〕
（１）  複数の電極を有するプローブを、生体被験者の心臓内に挿入する工程と、
前記心臓内のそれぞれの位置の前記電極から、電位図を記録する工程と、
時間窓内の前記電位図内で、傾きとアノテーションを決定する工程と、
前記電位図のうちの異なるものから前記傾きと前記アノテーションとの間の関係を設定する工程と、
前記関係から、前記心臓内の伝導ブロックのラインを決定する工程と、を含む方法。
（２）  前記伝導ブロックのラインの電気解剖学的マップを生成する工程を更に含む、実施態様１に記載の方法。
（３）  前記傾きとアノテーションを決定する工程が、
前記電位図内の双極窓（bipolar windows）を決定する工程と、
前記双極窓内で、局所興奮時間にアノテーションをつける工程と、
１組の電極の読取値から、ブロック点が前記１組の電極の領域内に存在することを決定する工程と、
前記ブロック点に対応して、前記局所興奮時間の位置を変える工程と、
それぞれの局所興奮時間を含む、見直された窓を決定する工程と、を含む、実施態様１に記載の方法。
（４）  前記傾きとアノテーションとの間の関係を設定する工程が、
前記電位図内の一次性傾きと、二次性傾きとを特定する工程と、
前記電極が、前記心臓に接触しているかどうかを決定する工程と、
前記一次性傾きと前記二次性傾きとが互いに結合しているかどうかを決定する工程と、を含む、実施態様１に記載の方法。
（５）  前記一次性傾きと前記二次性傾きとが互いに結合しているかどうかを決定する工程と、前記電極が前記心臓に接触しているかどうかを決定する工程とに対応して、伝播波を特定する工程を更に含む、実施態様４に記載の方法。
【０１４０】
（６）  前記電位図から、前記電極における伝導速度ベクトルを算出する工程と、
第１の電極における活性化は、第２の電極における活性化と分離されているという決定をする工程と、
前記決定に対応して、前記第１の電極と前記第２の電極との間に伝導ブロックが存在すると結論する工程と、を更に含む、実施態様４に記載の方法。
（７）  前記電位図を、それぞれの時間でフレームに分割する工程を更に含み、前記フレームは、網状の電極の読取値のうちの個別の読取値を、値の行列に、それぞれ割り当てたものである、実施態様１に記載の方法。
（８）  前記フレームは、前記電極の読取値に割り当てられていない空白位置を含む、実施態様７に記載の方法。
（９）  前記フレームが空白位置を含み、波間のブロックであると特定された前記電極の読取値を、前記空白位置に再度割り当てる工程を更に含む、実施態様７に記載の方法。
（１０）  前記フレームから、前記心臓の電気解剖学的マップを生成する工程を更に含む、実施態様７に記載の方法。
【０１４１】
（１１）  複数の電極を有し、且つ生体被験者の心臓内への挿入に適合されたプローブと、
前記電極から電気信号を受信するよう構成されたプロセッサであって、
前記心臓内のそれぞれの位置の前記電極から、電位図を記録する工程と、
時間窓内の前記電位図内で、傾きとアノテーションを決定する工程と、
前記電位図のうちの異なるものから前記傾きと前記アノテーションとの間の関係を設定する工程と、
前記関係から、前記心臓内の伝導ブロックのラインを決定する工程と、を実行するよう構成された、プロセッサと、を備える装置。
（１２）  ディスプレイを更に備え、前記プロセッサは、前記伝導ブロックのラインの電気解剖学的マップを、前記ディスプレイ上に生成するよう更に構成されている、実施態様１１に記載の装置。
（１３）  前記傾きとアノテーションを決定する工程は、
前記電位図内の双極窓を決定する工程と、
前記双極窓内で、局所興奮時間にアノテーションをつける工程と、
１組の電極の読取値から、ブロック点が前記１組の電極の領域内に存在することを決定する工程と、
前記ブロック点に対応して、前記局所興奮時間の位置を変える工程と、
それぞれの局所興奮時間を含む、見直された窓を決定する工程と、を含む、実施態様１１に記載の装置。
（１４）  前記傾きとアノテーションとの間の関係を設定することは、
前記電位図内の一次性傾きと、二次性傾きとを特定することと、
前記電極が、前記心臓に接触しているかどうかを決定することと、
前記一次性傾きと前記二次性傾きとが互いに結合しているかどうかを決定することと、を含む、実施態様１１に記載の装置。
（１５）  前記プロセッサは、前記一次性傾きと前記二次性傾きとが互いに結合しているかどうかを決定することと、前記電極が前記心臓に接触しているかどうかを決定することとに対応して、伝播波を特定するよう更に構成されている、実施態様１４に記載の装置。
【０１４２】
（１６）  前記プロセッサは、
前記電位図から、前記電極における伝導速度ベクトルを算出し、
第１の電極における活性化は、第２の電極における活性化と分離されているという決定をし、且つ
前記決定に対応して、前記第１の電極と前記第２の電極との間に伝導ブロックが存在すると結論するように更に構成されている、実施態様１４に記載の装置。
（１７）  前記プロセッサは、前記電位図を、それぞれの時間でフレームに分割するよう更に構成され、且つ前記フレームは、網状の電極の読取値のうちの個別の読取値を、値の行列に、それぞれ割り当てたものである、実施態様１１に記載の装置。
（１８）  前記フレームは、前記電極の読取値に割り当てられていない空白位置を含む、実施態様１７に記載の装置。
（１９）  前記フレームが空白位置を含み、波間のブロックであると特定された前記電極の読取値を、前記空白位置に再度割り当てる工程を更に含む、実施態様１７に記載の装置。
（２０）  前記プロセッサは、前記フレームから、前記心臓の電気解剖学的マップを生成するよう更に構成されている、実施態様１７に記載の装置。
【図１】
0006644491.tif 000004
【図２】
0006644491.tif 000005
【図３】
0006644491.tif 000006
【図４】
0006644491.tif 000007
【図５】
0006644491.tif 000008
【図６】
0006644491.tif 000009
【図７】
0006644491.tif 000010
【図８】
0006644491.tif 000011
【図９】
0006644491.tif 000012
【図１０】
0006644491.tif 000013
【図１１】
0006644491.tif 000014
【図１２】
0006644491.tif 000015
【図１３】
0006644491.tif 000016
【図１４】
0006644491.tif 000017
【図１５】
0006644491.tif 000018
【図１６】
0006644491.tif 000019
【図１７】
0006644491.tif 000020
【図１８】
0006644491.tif 000021
【図１９】
0006644491.tif 000022
【図２０】
0006644491.tif 000023
【図２１】
0006644491.tif 000024
【図２２】
0006644491.tif 000025
【図２３】
0006644491.tif 000026
【図２４】
0006644491.tif 000027
【図２５】
0006644491.tif 000028
【図２６】
0006644491.tif 000029
【図２７】
0006644491.tif 000030
【図２８】
0006644491.tif 000031
【図２９】
0006644491.tif 000032
【図３０】
0006644491.tif 000033
【図３１】
0006644491.tif 000034
【図３２】
0006644491.tif 000035
【図３３】
0006644491.tif 000036
【図３４】
0006644491.tif 000037
【図３５】
0006644491.tif 000038
【図３６】
0006644491.tif 000039
【図３７】
0006644491.tif 000040
【図３８】
0006644491.tif 000041
【図３９】
0006644491.tif 000042
【図４０】
0006644491.tif 000043
【図４１】
0006644491.tif 000044
【図４２】
0006644491.tif 000045
【図４３】
0006644491.tif 000046
【図４４】
0006644491.tif 000047